(57)【特許請求の範囲】
【請求項１】
データ電圧を出力するデータ駆動部からの距離に応じて、表示パネルのゲートラインを複数のゲートライングループに分割し、前記ゲートライングループによって互いに異なるゲート遅延値を適用してゲート信号を対応する各ゲートラインに出力することを含み、  前記ゲート遅延値は、前記ゲート信号を前記対応する各ゲートラインに出力するタイミングを規定し、
前記ゲート遅延値は、前記データ駆動部から前記データ電圧を対応する各データラインに出力するタイミングを制御するロード信号を基準に、前記データ駆動部からの距離が遠いゲートライングループほど、前記ゲート信号の出力が前記ロード信号の出力から遅延するように前記複数のゲートライングループ毎に設定され、
前記ゲート信号は第１フレームに印加されるゲート遅延値と第２フレームに印加されるゲート遅延値が相異する少なくとも１つの可変ゲート信号を含み、
前記可変ゲート信号が印加されるゲートラインは前記第１フレーム及び前記第２フレームで互いに異なるゲートターンオン開始時間を有することを特徴とする、表示パネルの駆動方法。
【請求項２】
データ駆動部と近い第Ｐ（Ｐは自然数）ゲートライングループの第１ゲート遅延値は、前記データ駆動部と遠い第Ｑ（Ｑは自然数）ゲートライングループの第２ゲート遅延値より小さいことを特徴とする、請求項１に記載の表示パネルの駆動方法。
【請求項３】
前記第１フレームの間の前記第Ｐゲートライングループの前記第１ゲート遅延値はＸ（Ｘは正の実数）であり、
前記第２フレームの間の前記第Ｐゲートライングループの前記第１ゲート遅延値はＸ＋ａ（ａは正の実数）であり、
ａは前記第１ゲート遅延値をフレーム毎に可変するための可変値であることを特徴とする、請求項２に記載の表示パネルの駆動方法。
【請求項４】
第３フレームの間の前記第Ｐゲートライングループの前記第１ゲート遅延値はＸ−ａであることを特徴とする、請求項３に記載の表示パネルの駆動方法。
【請求項５】
前記第１フレームの間の前記第Ｐゲートライングループの前記第１ゲート遅延値はＸであり、
前記第２フレームの間の前記第Ｐゲートライングループの最初のゲートラインの前記第１ゲート遅延値はＸ＋ａであり、前記第Ｐゲートライングループの前記最初のゲートラインを除外したゲートラインの前記第１ゲート遅延値はＸであることを特徴とする、請求項２に記載の表示パネルの駆動方法。
【請求項６】
前記第１フレームの間の前記第Ｐゲートライングループ及び前記第Ｐゲートラインに隣接した第Ｐ＋１ゲートライングループの境界は第Ｙ（Ｙは自然数）ゲートラインであり、
前記第２フレームの間、前記第Ｐゲートライングループ及び前記第Ｐ＋１ゲートライングループの境界は第Ｙ＋ｂ（ｂは自然数）ゲートラインであることを特徴とする、請求項２に記載の表示パネルの駆動方法。
【請求項７】
第３フレームの間、前記第Ｐゲートライングループ及び前記第Ｐ＋１ゲートライングループの境界は第Ｙ−ｂゲートラインであることを特徴とする、請求項６に記載の表示パネルの駆動方法。
【請求項８】
前記ゲート遅延値はゲートクロック信号に適用され、
前記ゲート信号は前記ゲートクロック信号に基づいて生成されることを特徴とする、請求項１に記載の表示パネルの駆動方法。
【請求項９】
複数のゲートライングループに分割された複数のゲートライン及び複数のデータラインを含む表示パネルと、
前記ゲートライングループによって互いに異なるゲート遅延値を適用してゲート信号を生成し、対応する各ゲートラインに前記ゲート信号を出力するゲート駆動部と、
前記データラインにデータ電圧を出力するデータ駆動部と、
前記ゲート駆動部及び前記データ駆動部を制御する信号制御部とを含み、
前記複数のゲートラインは、前記データ駆動部からの距離に応じて、前記複数のゲートライングループに分割され、
前記ゲート遅延値は、前記ゲート信号を前記対応する各ゲートラインに出力するタイミングを規定し、
前記ゲート遅延値は、前記データ駆動部から前記データ電圧を対応する各データラインに出力するタイミングを制御するロード信号を基準に、前記データ駆動部からの距離が遠いゲートライングループほど、前記ゲート信号の出力が前記ロード信号の出力から遅延するように前記複数のゲートライングループ毎に設定され、
前記ゲート信号は第１フレームに印加されるゲート遅延値と第２フレームに印加されるゲート遅延値が相異する少なくとも１つの可変ゲート信号を含み、
前記可変ゲート信号が印加されるゲートラインは前記第１フレーム及び前記第２フレームで互いに異なるゲートターンオン開始時間を有することを特徴とする、表示装置。
【請求項１０】
前記データ駆動部と近い第Ｐ（Ｐは自然数）ゲートライングループの第１ゲート遅延値は前記データ駆動部と遠い第Ｑ（Ｑは自然数）ゲートライングループの第２ゲート遅延値より小さいことを特徴とする、請求項９に記載の表示装置。
【請求項１１】
前記第１フレームの間の前記第Ｐゲートライングループの前記第１ゲート遅延値はＸ（Ｘは正の実数）であり、
前記第２フレームの間の前記第Ｐゲートライングループの前記第１ゲート遅延値はＸ＋ａ（ａは正の実数）であり、
ａは前記第１ゲート遅延値をフレーム毎に可変するための可変値であることを特徴とする、請求項１０に記載の表示装置。
【請求項１２】
第３フレームの間の前記第Ｐゲートライングループの前記第１ゲート遅延値はＸ−ａであることを特徴とする、請求項１１に記載の表示装置。
【請求項１３】
前記第１フレームの間の前記第Ｐゲートライングループの前記第１ゲート遅延値はＸであり、
前記第２フレームの間の前記第Ｐゲートライングループの最初のゲートラインの前記第１ゲート遅延値はＸ＋ａであり、前記第Ｐゲートライングループの前記最初のゲートラインを除外したゲートラインの前記第１ゲート遅延値はＸであることを特徴とする、請求項１０に記載の表示装置。
【請求項１４】
前記第１フレームの間の前記第Ｐゲートライングループ及び前記第Ｐゲートラインに隣接した第Ｐ＋１ゲートライングループの境界は第Ｙ（Ｙは自然数）ゲートラインであり、
前記第２フレームの間の前記第Ｐゲートライングループ及び前記第Ｐ＋１ゲートライングループの境界は第Ｙ＋ｂ（ｂは自然数）ゲートラインであることを特徴とする、請求項１０に記載の表示装置。
【請求項１５】
第３フレームの間の前記第Ｐゲートライングループ及び前記第Ｐ＋１ゲートライングループの境界は第Ｙ−ｂゲートラインであることを特徴とする、請求項１４に記載の表示装置。
【請求項１６】
前記信号制御部は前記ゲート遅延値が適用されたゲートクロック信号を生成し、
前記ゲート駆動部は前記ゲートクロック信号に基づいて前記ゲート信号を生成することを特徴とする、請求項９に記載の表示装置。
【請求項１７】
データ電圧を出力するデータ駆動部からの距離に応じて、表示パネルのゲートラインを複数のゲートライングループに分割し、前記ゲートライングループの各々に互いに異なるゲート遅延値を適用してゲート信号を生成し、
前記ゲート信号をゲートラインに出力することを含み、
前記ゲート遅延値は、前記ゲート信号を前記対応する各ゲートラインに出力するタイミングを規定し、
前記ゲート遅延値は、前記データ駆動部から前記データ電圧を対応する各データラインに出力するタイミングを制御するロード信号を基準に、前記データ駆動部からの距離が遠いゲートライングループほど、前記ゲート信号の出力が前記ロード信号の出力から遅延するように前記複数のゲートライングループ毎に設定され、
第１ゲート遅延値は第１フレームの間少なくとも１つのゲートラインに適用され、前記第１ゲート遅延値と異なる第２ゲート遅延値は第２フレームの間少なくとも１つのゲートラインに適用され、
前記第１フレームにおいて、前記ゲートライングループのうちの第Ｐゲートライングループに適用される第１ゲート遅延値は、前記ゲートライングループのうちの第Ｑゲートライングループに適用される第１ゲート遅延値より小さく、
前記第Ｐゲートライングループは前記第Ｑゲートライングループより表示装置のデータ駆動部に近く、
前記Ｐ及び前記Ｑは自然数であることを特徴とする、表示装置の駆動方法。
【請求項１８】
ゲートクロック信号は前記第１ゲート遅延値または前記第２ゲート遅延値に基づいて生成され、
前記ゲート信号は前記ゲートクロック信号に基づいて生成されることを特徴とする、請求項１７に記載の表示装置の駆動方法。
【請求項１９】
第１フレームの間の前記第Ｐゲートライングループに適用されるゲート遅延値はＸであり、第２フレームの間の前記第Ｐゲートライングループに適用されるゲート遅延値はＸ＋ａであり、第３フレームの間の前記第Ｐゲートライングループに適用されるゲート遅延値はＸ−ａであり、
前記Ｘ及び前記ａは正の実数であることを特徴とする、請求項１７に記載の表示装置の駆動方法。
【発明の詳細な説明】
【技術分野】
【０００１】
本発明は表示パネルの駆動方法及びこれを遂行するための表示装置に関し、より詳しくは、表示品質を向上させることができる表示パネルの駆動方法及びこれを遂行するための表示装置に関する。
【背景技術】
【０００２】
一般に、表示装置は画像を表示する表示パネルと前記表示パネルを駆動するパネル駆動部を含む。前記表示パネルは、複数のゲートライン、複数のデータライン、及び前記ゲートライン及び前記データラインに接続される複数の画素を含む。
【０００３】
前記パネル駆動部は、ゲート信号を生成するゲート駆動部、及びデータ電圧を生成するデータ駆動部を含む。前記ゲートラインは前記ゲート信号を前記画素に伝達し、前記データラインは前記データ電圧を前記画素に伝達する。
【０００４】
前記データ電圧は前記データ駆動部から遠ざかるほど前記データラインによる伝播遅延が発生することがある。
【０００５】
前記データ電圧が遅延すると、前記ゲート信号によるピクセルのターンオン時間と前記データ電圧の印加時間とが一致しないので、ピクセルの充電率不足の問題が発生することがある。
【０００６】
前記データ電圧の遅延によるピクセルの充電率不足を補償するためにゲート信号を遅延して生成することがある。この際、前記データ駆動部からの距離によってゲート信号の遅延値を互いに異なるように適用する。
【０００７】
前記ゲート信号の遅延値を変化させる境界ではピクセル充電率の差による横線不良が発生することがある。前記横線不良により表示パネルの表示品質が低下する問題がある。
【発明の概要】
【発明が解決しようとする課題】
【０００８】
ここでは、本発明の技術的課題はこのような点で着目したものであって、本発明の目的は、ゲート信号の遅延値を適切に調節して表示品質を向上させるための表示パネルの駆動方法を提供することにある。
【０００９】
本発明の他の目的は、前記の駆動方法を遂行する表示装置を提供することにある。
【課題を解決するための手段】
【００１０】
前記の本発明の目的を実現するための一実施形態に係る表示パネルの駆動方法は、表示パネルのゲートラインを複数のゲートライングループに分割し、前記ゲートライングループによって互いに異なるゲート遅延値を適用してゲート信号を生成するステップ、及び前記ゲート信号を対応する各ゲートラインに出力するステップを含む。前記ゲート信号は、第１フレームに印加されるゲート遅延値と第２フレームに印加されるゲート遅延値が相異する少なくとも１つの可変ゲート信号を含む。前記可変ゲート信号が印加されるゲートラインは、前記第１フレーム及び前記第２フレームで互いに異なるゲートターンオン開始時間を有する。
【００１１】
本発明の一実施形態において、データ駆動部と近い第Ｐゲートライングループの第１ゲート遅延値は、前記データ駆動部と遠い第Ｑゲートライングループの第２ゲート遅延値より小さいことがある。
【００１２】
本発明の一実施形態において、第１フレームの間の前記第Ｐゲートライングループの前記第１ゲート遅延値はＸであり、第２フレームの間の前記第Ｐゲートライングループの前記第１ゲート遅延値はＸ＋ａでありうる。ａは前記第１ゲート遅延値をフレーム毎に可変するための可変値でありうる。
【００１３】
本発明の一実施形態において、第３フレームの間の前記第Ｐゲートライングループの前記第１ゲート遅延値はＸ−ａでありうる。
【００１４】
本発明の一実施形態において、第１フレームの間の前記第Ｐゲートライングループの前記第１ゲート遅延値はＸであり、第２フレームの間の前記第Ｐゲートライングループの最初のゲートラインの前記第１ゲート遅延値はＸ＋ａであり、前記第Ｐゲートライングループの前記最初のゲートラインを除外したゲートラインの前記第１ゲート遅延値はＸでありうる。
【００１５】
本発明の一実施形態において、第１フレームの間の前記第Ｐゲートライングループ及び前記第Ｐゲートラインに隣接した第Ｐ＋１ゲートライングループの境界は第Ｙゲートラインであり、第２フレームの間の前記第Ｐゲートライングループ及び前記第Ｐ＋１ゲートライングループの境界は第Ｙ＋ｂゲートラインでありうる。
【００１６】
本発明の一実施形態において、第３フレームの間の前記第Ｐゲートライングループ及び前記第Ｐ＋１ゲートライングループの境界は第Ｙ−ｂゲートラインでありうる。
【００１７】
本発明の一実施形態において、前記ゲート遅延値はゲートクロック信号に適用できる。前記ゲート信号は前記ゲートクロック信号に基づいて生成できる。
【００１８】
本発明の一実施形態において、前記ゲート信号はデータ電圧をデータラインに出力するタイミングを定義するロード信号に同期できる。前記ゲート遅延値は前記ロード信号を基準に定義できる。
【００１９】
前記の本発明の他の目的を実現するための一実施形態に係る表示装置は、表示パネル、ゲート駆動部、データ駆動部、及び信号制御部を含む。前記表示パネルは複数のゲートライングループに分割された複数のゲートライン及び複数のデータラインを含む。前記ゲート駆動部は、前記ゲートライングループによって互いに異なるゲート遅延値を適用してゲート信号を生成する。前記ゲート駆動部は、対応する各ゲートラインに前記ゲート信号を出力する。前記データ駆動部は、前記データラインにデータ電圧を出力する。前記信号制御部は、前記ゲート駆動部及び前記データ駆動部を制御する。前記ゲート信号は、第１フレームに印加されるゲート遅延値と第２フレームに印加されるゲート遅延値が相異する少なくとも１つの可変ゲート信号を含む。前記可変ゲート信号が印加されるゲートラインは、前記第１フレーム及び前記第２フレームで互いに異なるゲートターンオン開始時間を有する。
【００２０】
本発明の一実施形態において、前記データ駆動部と近い第Ｐゲートライングループの第１ゲート遅延値は、前記データ駆動部と遠い第Ｑゲートライングループの第２ゲート遅延値より小さいことがある。
【００２１】
本発明の一実施形態において、第１フレームの間の前記第Ｐゲートライングループの前記第１ゲート遅延値はＸであり、第２フレームの間の前記第Ｐゲートライングループの前記第１ゲート遅延値はＸ＋ａでありうる。ａは前記第１ゲート遅延値をフレーム毎に可変するための可変値でありうる。
【００２２】
本発明の一実施形態において、第３フレームの間の前記第Ｐゲートライングループの前記第１ゲート遅延値はＸ−ａでありうる。
【００２３】
本発明の一実施形態において、第１フレームの間の前記第Ｐゲートライングループの前記第１ゲート遅延値はＸであり、第２フレームの間の前記第Ｐゲートライングループの最初のゲートラインの前記第１ゲート遅延値はＸ＋ａであり、前記第Ｐゲートライングループの前記最初のゲートラインを除外したゲートラインの前記第１ゲート遅延値はＸでありうる。
【００２４】
本発明の一実施形態において、第１フレームの間の前記第Ｐゲートライングループ及び前記第Ｐゲートラインに隣接した第Ｐ＋１ゲートライングループの境界は第Ｙゲートラインであり、第２フレームの間の前記第Ｐゲートライングループ及び前記第Ｐ＋１ゲートライングループの境界は第Ｙ＋ｂゲートラインでありうる。
【００２５】
本発明の一実施形態において、第３フレームの間の前記第Ｐゲートライングループ及び前記第Ｐ＋１ゲートライングループの境界は第Ｙ−ｂゲートラインでありうる。
【００２６】
本発明の一実施形態において、前記信号制御部は前記ゲート遅延値が適用されたゲートクロック信号を生成することができる。前記ゲート駆動部は、前記ゲートクロック信号に基づいて前記ゲート信号を生成することができる。
【００２７】
本発明の一実施形態において、前記信号制御部は前記データ電圧を前記データラインに出力するタイミングを定義するロード信号を生成することができる。前記ゲート信号は、前記ロード信号に同期できる。前記ゲート遅延値は、前記ロード信号を基準に定義できる。
【００２８】
前記の本発明の目的を実現するための一実施形態に係る表示パネルの駆動方法は、表示パネルのゲートラインを複数のゲートライングループに分割し、前記ゲートライングループの各々に互いに異なるゲート遅延値を適用してゲート信号を生成するステップ、及び前記ゲート信号をゲートラインに出力するステップを含む。前記ゲートライングループのうち、第Ｐゲートライングループに適用されるゲート遅延値は、前記ゲートライングループのうち、第Ｑゲートライングループに適用されるゲート遅延値より小さい。前記第Ｐゲートライングループは、前記第Ｑゲートライングループより表示装置のデータ駆動部に近い。前記Ｐ及び前記Ｑは自然数である。
【００２９】
本発明の一実施形態において、第１ゲート遅延値は第１フレームの間少なくとも１つのゲートラインに適用され、前記第１ゲート遅延値と異なる第２ゲート遅延値は第２フレームの間少なくとも１つのゲートラインに適用できる。
【００３０】
本発明の一実施形態において、ゲートクロック信号は前記第１ゲート遅延値または前記第２ゲート遅延値に基づいて生成できる。前記ゲート信号は、前記ゲートクロック信号に基づいて生成できる。
【００３１】
本発明の一実施形態において、第１フレームの間の前記第Ｐゲートライングループに適用されるゲート遅延値はＸであり、第２フレームの間の前記第Ｐゲートライングループに適用されるゲート遅延値はＸ＋ａであり、第３フレームの間の前記第Ｐゲートライングループに適用されるゲート遅延値はＸ−ａでありうる。前記Ｘ及び前記ａは正の実数でありうる。
【００３２】
本発明の一実施形態において、前記ゲート信号はデータ電圧が前記表示装置のデータラインに出力される出力タイミングに対応するロード信号に同期できる。
【発明の効果】
【００３３】
このような表示パネルの駆動方法及びこれを遂行するための表示装置によれば、ゲート信号の遅延値を適切に設定してデータ電圧の伝播遅延を補償することによって、横線不良の発生を防止し、画素電圧の充電率を増加させることができる。したがって、表示パネルの表示品質を向上させることができる。
【図面の簡単な説明】
【００３４】
【図１】本発明の一実施形態に係る表示装置を示すブロック図である。
【図２】図１の信号制御部を示すブロック図である。
【図３Ａ】図１の表示パネルの上部領域でのゲート信号とデータ電圧を示す波形図である。
【図３Ｂ】図１の表示パネルの下部領域でのゲート信号とデータ電圧を示す波形図である。
【図４】図１のゲートライン別ゲート遅延値を示すグラフである。
【図５】図１のゲートラインに印加されるゲート信号を示す波形図である。
【図６Ａ】第１フレームの間の図１のゲートライン別ゲート遅延値を示すグラフである。
【図６Ｂ】第２フレームの間の図１のゲートライン別ゲート遅延値を示すグラフである。
【図６Ｃ】第３フレーム間の図１のゲートライン別ゲート遅延値を示すグラフである。
【図７Ａ】第１から第３フレームの間の図１の信号制御部で生成されるゲートクロック信号を示す波形図である。
【図７Ｂ】第１から第３フレームの間の図１の信号制御部で生成されるゲートクロック信号を示す波形図である。
【図８Ａ】第１フレームの間の本発明の一実施形態に係る表示装置のゲートライン別ゲート遅延値を示すグラフである。
【図８Ｂ】第２フレームの間の図８Ａのゲートライン別ゲート遅延値を示すグラフである。
【図８Ｃ】第３フレームの間の図８Ａのゲートライン別ゲート遅延値を示すグラフである。
【図９Ａ】第１フレームの間の本発明の一実施形態に係る表示装置のゲートライン別ゲート遅延値を示すグラフである。
【図９Ｂ】第２フレームの間の図９Ａのゲートライン別ゲート遅延値を示すグラフである。
【図９Ｃ】第３フレームの間の図９Ａのゲートライン別ゲート遅延値を示すグラフである。
【図１０】第１から第３フレームの間の図９Ａの表示装置の信号制御部で生成されるゲートクロック信号を示す波形図である。
【図１１】図９Ａの表示装置の第Ｙゲートラインに印加されるゲート信号を示す波形図である。
【発明を実施するための形態】
【００３５】
以下、添付した図面を参照して、本発明をより詳細に説明する。
【００３６】
図１は、本発明の一実施形態に係る表示装置を示すブロック図である。
【００３７】
図１を参照すると、前記表示装置は、表示パネル１００、信号制御部２００、ゲート駆動部３００、ガンマ電圧生成部４００、及びデータ駆動部５００を含む。
【００３８】
前記表示パネル１００は、複数のゲートライン（ＧＬ１からＧＬＮ）、複数のデータライン（ＤＬ１からＤＬＭ）、及び前記ゲートライン（ＧＬ１からＧＬＮ）と前記データライン（ＤＬ１からＤＬＭ）の各々に電気的に接続された複数の画素を含む。前記ゲートライン（ＧＬ１からＧＬＮ）（ここで、Ｎは自然数）は第１方向（ＤＲ１）に延長され、前記データライン（ＤＬ１からＤＬＭ）（ここで、Ｍは自然数）は前記第１方向（ＤＲ１）と交差する第２方向（ＤＲ２）に延長される。各画素はスイッチング素子（図示せず）、前記スイッチング素子に電気的に接続された液晶キャパシタ（図示せず）、及びストレージキャパシタ（図示せず）を含む。前記画素はマトリックス形態に配置される。
【００３９】
前記信号制御部２００は、外部の装置（図示せず）から入力映像データ及び入力制御信号を受信する。前記入力映像データは、赤色映像データ（Ｒ）、緑色映像データ（Ｇ）、及び青色映像データ（Ｂ）を含むことができる。前記入力制御信号は、マスタークロック信号（ＭＣＬＫ）、データイネーブル信号（ＤＥ）を含む。前記入力制御信号は，垂直同期信号及び水平同期信号をさらに含むことができる。
【００４０】
前記信号制御部２００は、前記入力映像データ及び前記入力制御信号に基づいて第１制御信号（ＣＯＮＴ１）、第２制御信号（ＣＯＮＴ２）、及びデータ信号（ＤＡＴＡ）を生成する。前記信号制御部２００は、前記入力制御信号に基づいて前記ゲート駆動部３００の駆動タイミングを制御するための前記第１制御信号（ＣＯＮＴ１）を生成して前記ゲート駆動部３００に出力する。前記信号制御部２００は、前記入力制御信号に基づいて前記データ駆動部５００の駆動タイミングを制御するための前記第２制御信号（ＣＯＮＴ２）を生成して前記データ駆動部５００に出力する。前記信号制御部２００の動作については後述する図２を参照して具体的に説明する。
【００４１】
前記第１制御信号（ＣＯＮＴ１）は、垂直開始信号及びゲートクロック信号を含む。前記第２制御信号（ＣＯＮＴ２）は、水平開始信号及びロード信号を含む。
【００４２】
前記ゲート駆動部３００は、前記信号制御部２００から入力を受けた前記第１制御信号（ＣＯＮＴ１）に応答して前記ゲートライン（ＧＬ１からＧＬＮ）を駆動するためのゲート信号（Ｇ１からＧＮ）を生成する。前記ゲート駆動部３００は、前記ゲート信号（Ｇ１からＧＮ）を前記ゲートライン（ＧＬ１からＧＬＮ）に順次に出力する。
【００４３】
前記ゲート駆動部３００は、前記表示パネル１００に直接実装（ｍｏｕｎｔｅｄ）されるか、またはテープキャリアパッケージ（ＴＣＰ：ｔａｐｅ  ｃａｒｒｉｅｒ  ｐａｃｋａｇｅ）の形態で前記表示パネル１００に接続してもよい。一方、前記ゲート駆動部３００は前記表示パネル１００に集積（ｉｎｔｅｇｒａｔｅｄ）されることもできる。
【００４４】
前記ガンマ電圧生成部４００は、ガンマ基準電圧（ＶＧＲＥＦ）を生成する。前記ガンマ電圧生成部４００は、前記ガンマ基準電圧（ＶＧＲＥＦ）を前記データ駆動部５００に提供する。前記ガンマ基準電圧（ＶＧＲＥＦ）は、各々のデータ信号（ＤＡＴＡ）に対応する値を有する。前記ガンマ電圧生成部４００は、前記信号制御部２００の内に配置されるか、または前記データ駆動部５００内に配置できる。
【００４５】
前記データ駆動部５００は、前記信号制御部２００から前記第２制御信号（ＣＯＮＴ２）及び前記データ信号（ＤＡＴＡ）の入力を受けて、前記ガンマ電圧生成部４００から前記ガンマ電圧（ＶＧＲＥＦ）の入力を受ける。前記データ駆動部５００は、前記データ信号（ＤＡＴＡ）を前記ガンマ電圧（ＶＧＲＥＦ）を用いてアナログ形態のデータ電圧（Ｄ１からＤＭ）に変換する。前記データ駆動部５００は、前記データ電圧（Ｄ１からＤＭ）を前記データライン（ＤＬ１からＤＬＭ）に順次に出力する。
【００４６】
前記データ駆動部５００は、シフトレジスタ（図示せず）、ラッチ（図示せず）、信号処理部（図示せず）、及びバッファ部（図示せず）を含むことができる。前記シフトレジスタは、ラッチパルスを前記ラッチに出力する。前記ラッチは、前記データ信号（ＤＡＴＡ）を一時格納した後、前記信号処理部に出力する。前記信号処理部は、前記ディジタル形態である前記データ信号（ＤＡＴＡ）及び前記ガンマ電圧（ＶＧＲＥＦ）に基づいてアナログ形態の前記データ電圧（Ｄ１からＤＭ）を生成して前記バッファ部に出力する。前記バッファ部は、前記データ電圧（Ｄ１からＤＭ）のレベルが一定のレベルを有するように補償して前記データ電圧（Ｄ１からＤＭ）を前記データライン（ＤＬ１からＤＬＭ）に出力する。
【００４７】
前記データ駆動部５００は、前記表示パネル１００に直接実装されるか、またはテープキャリアパッケージ（ＴＣＰ：ｔａｐｅ  ｃａｒｒｉｅｒ  ｐａｃｋａｇｅ）の形態で前記表示パネル１００に接続してもよい。一方、前記データ駆動部５００は前記表示パネル１００に集積されることもできる。
【００４８】
図２は、図１の信号制御部２００を示すブロック図である。
【００４９】
図２を参照すると、前記信号制御部２００はデータ補正部２２０及び信号生成部２４０を含む。これは、説明の便宜のために論理的に区分しただけであり、ハードウェア的に区分したものではない。
【００５０】
前記データ補正部２２０は外部の装置から前記入力映像データ（ＲＧＢ）を受信する。前記データ補正部２２０は、前記入力映像データ（ＲＧＢ）を補正して前記データ信号（ＤＡＴＡ）を生成し、前記データ駆動部５００に出力する。
【００５１】
前記データ補正部２２０は、色特性補償部（図示せず）及び動的キャパシタンス補償部（図示せず）を含むことができる。
【００５２】
前記色特性補償部は、前記入力映像データ（ＲＧＢ）を受信して色特性補償（Ａｄａｐｔｉｖｅ  Ｃｏｌｏｒ  Ｃｏｒｒｅｃｔｉｏｎ；以下、ＡＣＣと称する）を遂行する。前記色特性補償部は、ガンマ曲線を用いて入力映像データ（ＲＧＢ）を補償することができる。
【００５３】
前記動的キャパシタンス補償部は、以前のフレームデータと現在のフレームデータを用いて前記現在のフレームデータの階調データを補正する動的キャパシタンス補償（Ｄｙｎａｍｉｃ  Ｃａｐａｃｉｔａｎｃｅ  Ｃｏｍｐｅｎｓａｔｉｏｎ；以下、ＤＣＣと称する）を遂行する。
【００５４】
前記信号生成部２４０は、外部から前記マスタークロック信号（ＭＣＬＫ）及び前記データイネーブル信号（ＤＥ）を受信する。
【００５５】
前記信号生成部２４０は、前記マスタークロック信号（ＭＣＬＫ）及び前記データイネーブル信号（ＤＥ）に基づいて前記第１制御信号（ＣＯＮＴ１）を生成して前記ゲート駆動部３００に出力する。前記第１制御信号（ＣＯＮＴ１）は、前記ゲート駆動部３００がゲート信号を生成するためのゲートクロック信号（ＣＰＶ）を含む。
【００５６】
前記信号生成部２４０は、前記マスタークロック信号（ＭＣＬＫ）及び前記データイネーブル信号（ＤＥ）に基づいて前記第２制御信号（ＣＯＮＴ２）を生成して前記データ駆動部５００に出力する。前記第２制御信号（ＣＯＮＴ２）は、前記データ駆動部５００がデータ電圧を出力するタイミングを制御するロード信号（ＴＰ）を含む。前記ゲートクロック信号（ＣＰＶ）及び前記ロード信号（ＴＰ）は互いに同期化される。
【００５７】
図３Ａは、図１の表示パネル１００の上部領域（ＵＡ）でのゲート信号とデータ電圧を示す波形図である。図３Ｂは、図１の表示パネルの下部領域（ＬＡ）でのゲート信号とデータ電圧を示す波形図である。図４は、図１のゲートライン別ゲート遅延値を示すグラフである。図５は、図１のゲートラインに印加されるゲート信号を示す波形図である。
【００５８】
前記データ電圧は、前記データ駆動部５００から遠ざかるほど前記データラインによる伝播遅延（ｐｒｏｐａｇａｔｉｏｎ  ｄｅｌａｙ）が増大することがある。伝播遅延とは、前記データ電圧が前記データラインを介して対応するピクセルに印加されるタイミングが遅延されることを意味する。例えば、前記データ駆動部５００から遠く離れたピクセルにデータ電圧が印加される時間は、前記データ駆動部５００から近いピクセルにデータ電圧が印加される時間より遅いことがある。前記表示パネル１００のサイズが大型化するにつれて、前記データ電圧の伝播遅延が増大することがある。
【００５９】
前記図１、図３Ａ、及び図３Ｂを参照すると、前記表示パネル１００のうち、前記データ駆動部５００から近い上部領域（ＵＡ）は前記データ電圧の伝播遅延がほとんどないが、前記表示パネル１００のうち、前記データ駆動部５００から遠く離れた下部領域（ＬＡ）は前記データ電圧の伝播遅延が大きいことがある。
【００６０】
前記ゲート信号（Ｇ１からＧＮ）は、前記ロード信号（ＴＰ）に同期されて順次にパルス波形を出力する。例えば、第１ゲート信号（Ｇ１）がパルス波形を出力し、第２ゲート信号（Ｇ２）がパルス波形を出力し、第３ゲート信号（Ｇ３）がパルス波形を出力することができる。最後に、第Ｎゲート信号（ＧＮ）がパルス波形を出力することができる。
【００６１】
従来の表示パネル１００では、前記第１から第Ｎゲート信号が全てロード信号（ＴＰ）に同期されて前記ロード信号（ＴＰ）の波形のフォーリングエッジから同一の時間にゲートパルスを出力した。例えば、第１ゲート信号（Ｇ１）は前記ロード信号（ＴＰ）の第１パルスのフォーリングエッジでゲートパルスを出力し、第２ゲート信号（Ｇ２）は前記ロード信号（ＴＰ）の第２パルスのフォーリングエッジでゲートパルスを出力し、第３ゲート信号（Ｇ３）は前記ロード信号（ＴＰ）の第３パルスのフォーリングエッジでゲートパルスを出力した。第Ｎゲート信号（ＧＮ）は、前記ロード信号（ＴＰ）の第Ｎパルスのフォーリングエッジでゲートパルスを出力した。
【００６２】
この場合、前記伝播遅延のない前記上部領域（ＵＡ）の場合、図３Ａに示すように、前記データ電圧の出力時間と前記ゲートパルスのターンオン時間とが一致して充分な画素充電率が確保される。一方、前記伝播遅延が発生する前記下部領域（ＬＡ）の場合、図３Ｂに示すように、前記データ電圧の出力時間が前記ゲートパルスのターンオン時間に比べて遅くなって、充分な画素充電率が確保できない。
【００６３】
図４を参照すると、本発明の一実施形態に係る表示パネル１００のゲートライン（ＧＬ１からＧＬＮ）は、複数のゲートライングループ（ＧＧ１、ＧＧ２、ＧＧ３、ＧＧ４、ＧＧ５、ＧＧ６）に分割される。前記ゲートライングループの個数は本発明を制限しない。
【００６４】
図４のグラフの縦軸はゲートラインの位置を示す。例えば、第１ゲートライングループ（ＧＧ１）は第１ゲートラインから第Ｙゲートラインを含むことができる。第２ゲートライングループ（ＧＧ２）は、第Ｙ＋１ゲートラインから第２Ｙゲートラインを含むことができる。第３ゲートライングループ（ＧＧ３）は、第２Ｙ＋１ゲートラインから第３Ｙゲートラインを含むことができる。第４ゲートライングループ（ＧＧ４）は、第３Ｙ＋１ゲートラインから第４Ｙゲートラインを含むことができる。第５ゲートライングループ（ＧＧ５）は、第４Ｙ＋１ゲートラインから第５Ｙゲートラインを含むことができる。第６ゲートライングループ（ＧＧ６）は、第５Ｙ＋１ゲートラインから第Ｎゲートラインを含むことができる。例えば、前記各ゲートライングループ（ＧＧ１、ＧＧ２、ＧＧ３、ＧＧ４、ＧＧ５、ＧＧ６）内のゲートラインの個数は互いに同一でありうる。または、前記各ゲートライングループ（ＧＧ１、ＧＧ２、ＧＧ３、ＧＧ４、ＧＧ５、ＧＧ６）内のゲートラインの個数は１つ以下の差を有することができる。
【００６５】
例えば、第１ゲートライングループ（ＧＧ１）のゲートラインにはゲート遅延値を適用しない。第２ゲートライングループ（ＧＧ２）のゲートラインにはＸ１のゲート遅延値を適用する。第３ゲートライングループ（ＧＧ３）のゲートラインにはＸ２のゲート遅延値を適用する。第４ゲートライングループ（ＧＧ４）のゲートラインにはＸ３のゲート遅延値を適用する。第５ゲートライングループ（ＧＧ５）のゲートラインにはＸ４のゲート遅延値を適用する。第６ゲートライングループ（ＧＧ６）のゲートラインにはＸ５のゲート遅延値を適用する。Ｘ２はＸ１より大きく、Ｘ３はＸ２より大きく、Ｘ４はＸ３より大きく、Ｘ５はＸ４より大きい。例えば、Ｘ２はＸ１の２倍であり、Ｘ３はＸ１の３倍であり、Ｘ４はＸ１の４倍であり、Ｘ５はＸ１の５倍でありうる。これとは異なり、Ｘ２、Ｘ３、Ｘ４、Ｘ５はＸ１の倍数でないことがある。本発明の一実施形態において、Ｘ１より小さいゲート遅延値であるＸ０を第１ゲートライングループ（ＧＧ１）のゲートラインに適用してもよい。
【００６６】
前記第１ゲートライングループ（ＧＧ１）のゲートラインに印加されるゲート信号はゲート遅延値がないので、最も早い第１ゲートターンオン開始時間を有する。ゲートターンオン開始時間とは、データロード信号（ＴＰ）に基づいてゲート信号がターンオンされ始める時点を意味する。例えば、ゲートターンオン開始時間は前記データロード信号（ＴＰ）のフォーリングエッジから前記ゲート信号がターンオンされ始める時点として定義できる。前記第２ゲートライングループＧＧ２のゲートラインは、前記第１ゲートターンオン開始時間よりＸ１だけ遅延された第２ゲートターンオン開始時間を有する。前記第３ゲートライングループ（ＧＧ３）のゲートラインは、前記第１ゲートターンオン開始時間よりＸ２だけ遅延された第３ゲートターンオン開始時間を有する。前記第４ゲートライングループ（ＧＧ４）のゲートラインは、前記第１ゲートターンオン開始時間よりＸ３だけ遅延された第４ゲートターンオン開始時間を有する。前記第５ゲートライングループ（ＧＧ５）のゲートラインは、前記第１ゲートターンオン開始時間よりＸ４だけ遅延された第５ゲートターンオン開始時間を有する。前記第６ゲートライングループ（ＧＧ６）のゲートラインは、前記第１ゲートターンオン開始時間よりＸ５だけ遅延された第６ゲートターンオン開始時間を有する。結果的に、第１ゲートターンオン開始時間は他のゲートターンオン開始時間（例えば、第２から第５ゲートターンオン開始時間）より早いことがある。
【００６７】
図５を見ると、前記第１ゲートライングループ（ＧＧ１）のゲートラインのゲート信号（Ｇ１からＧ４）は、前記ロード信号（ＴＰ）のフォーリングエッジでターンオンされる。ここで、前記第１ゲートライングループ（ＧＧ１）のゲートラインのゲート信号（Ｇ１からＧ４）が前記ロード信号（ＴＰ）のフォーリングエッジでターンオンされることは１つの例示に過ぎず、前記第１ゲートライングループ（ＧＧ１）のゲートラインのゲート信号（Ｇ１からＧ４）が前記ロード信号（ＴＰ）のフォーリングエッジで必ずターンオンされる必要はない。例えば、第１ゲートライングループ（ＧＧ１）のゲートラインのゲート信号（Ｇ１からＧ４）が前記ロード信号（ＴＰ）のフォーリングエッジ以後にターンオンできる。
【００６８】
前記第２ゲートライングループ（ＧＧ２）のゲートラインのゲート信号（ＧＡ１からＧＡ４）は、前記第１ゲートライングループ（ＧＧ１）のゲート信号（Ｇ１からＧ４）より前記ロード信号（ＴＰ）のフォーリングエッジからゲート遅延値（Ｘ１）だけ遅延されてターンオンされる。
【００６９】
前記第３ゲートライングループ（ＧＧ３）のゲートラインのゲート信号（ＧＢ１からＧＢ４）は前記第１ゲートライングループ（ＧＧ１）のゲート信号（Ｇ１からＧ４）より前記ロード信号（ＴＰ）のフォーリングエッジからゲート遅延値（Ｘ２）だけ遅延されてターンオンされる。
【００７０】
このように、前記ゲートラインの位置によって前記ゲート遅延値を適用して前記ゲート信号を生成すれば、前記データ電圧の遅延に従う充電率の不足を補償することができる。しかしながら、前記ゲート遅延値が非連続的に変化する前記第１ゲートライングループ（ＧＧ１）と前記第２ゲートライングループ（ＧＧ２）の境界及び前記第２ゲートライングループ（ＧＧ２）と前記第３ゲートライングループ（ＧＧ３）の境界などで横線不良が視認できる。
【００７１】
図６Ａは、第１フレームの間の図１のゲートライン別ゲート遅延値を示すグラフである。図６Ｂは、第２フレームの間の図１のゲートライン別ゲート遅延値を示すグラフである。図６Ｃは、第３フレームの間の図１のゲートライン別ゲート遅延値を示すグラフである。図７Ａ及び図７Ｂは、第１から第３フレームの間の図１の信号制御部で生成されるゲートクロック信号を示す波形図である。
【００７２】
図６Ａから図６Ｃを参照すると、前記ゲート遅延値はフレームによって相異する値を有する。したがって、前記ゲート信号は第１フレームのゲート遅延値と第２フレームのゲート遅延値が相異する可変ゲート信号を含むようになる。
【００７３】
例えば、第１フレームの間、第１ゲートライングループ（ＧＧ１）のゲートラインにはゲート遅延値を適用しない。第２ゲートライングループ（ＧＧ２）のゲートラインにはＸ１のゲート遅延値を適用する。第３ゲートライングループ（ＧＧ３）のゲートラインにはＸ２のゲート遅延値を適用する。第４ゲートライングループ（ＧＧ４）のゲートラインにはＸ３のゲート遅延値を適用する。第５ゲートライングループ（ＧＧ５）のゲートラインにはＸ４のゲート遅延値を適用する。第６ゲートライングループ（ＧＧ６）のゲートラインにはＸ５のゲート遅延値を適用する。Ｘ２はＸ１より大きく、Ｘ３はＸ２より大きく、Ｘ４はＸ３より大きく、Ｘ５はＸ４より大きい。例えば、Ｘ２はＸ１の２倍であり、Ｘ３はＸ１の３倍であり、Ｘ４はＸ１の４倍であり、Ｘ５はＸ１の５倍でありうる。本発明の一実施形態において、前記第１フレームの間Ｘ１より小さいゲート遅延値であるＸ０を第１ゲートライングループ（ＧＧ１）のゲートラインに適用してもよい。
【００７４】
第２フレームの間、第１ゲートライングループ（ＧＧ１）のゲートラインにはゲート遅延値を適用しない。第２ゲートライングループ（ＧＧ２）のゲートラインにはＸ１＋ａのゲート遅延値を適用する。第３ゲートライングループ（ＧＧ３）のゲートラインにはＸ２＋ａのゲート遅延値を適用する。第４ゲートライングループ（ＧＧ４）のゲートラインにはＸ３＋ａのゲート遅延値を適用する。第５ゲートライングループ（ＧＧ５）のゲートラインにはＸ４＋ａのゲート遅延値を適用する。第６ゲートライングループ（ＧＧ６）のゲートラインにはＸ５＋ａのゲート遅延値を適用する。ａは前記ゲート遅延値をフレーム毎に可変させるための可変値を意味する。ａはＸ１に比べて小さいことがある。ａはＸ２−Ｘ１に比べて小さいことがある。ａはＸ３−Ｘ２に比べて小さいことがある。ａはＸ４−Ｘ３に比べて小さいことがある。ａはＸ５−Ｘ４に比べて小さいことがある。本発明の一実施形態において、前記第２フレームの間Ｘ１＋ａより小さいゲート遅延値であるＸ０＋ａを第１ゲートライングループ（ＧＧ１）のゲートラインに適用してもよい。
【００７５】
第３フレームの間、第１ゲートライングループ（ＧＧ１）のゲートラインにはゲート遅延値を適用しない。第２ゲートライングループ（ＧＧ２）のゲートラインにはＸ１−ａのゲート遅延値を適用する。第３ゲートライングループ（ＧＧ３）のゲートラインにはＸ２−ａのゲート遅延値を適用する。第４ゲートライングループ（ＧＧ４）のゲートラインにはＸ３−ａのゲート遅延値を適用する。第５ゲートライングループ（ＧＧ５）のゲートラインにはＸ４−ａのゲート遅延値を適用する。第６ゲートライングループ（ＧＧ６）のゲートラインにはＸ５−ａのゲート遅延値を適用する。本発明の一実施形態において、前記第３フレームの間Ｘ１−ａより小さいゲート遅延値であるＸ０−ａを第１ゲートライングループ（ＧＧ１）のゲートラインに適用してもよい。
【００７６】
前記信号制御部２００の信号生成部２４０は、前記ゲート遅延値が適用されたゲートクロック信号（ＣＰＶ）を生成することができる。前記ゲート駆動部３００は、前記ゲート遅延値が適用された前記ゲートクロック信号（ＣＰＶ）を用いて前記ゲート信号（Ｇ１からＧＮ）を生成することができる。
【００７７】
図７Ａは、第１から第３フレームの間の前記第１ゲートライングループ（ＧＧ１）に対応するゲートクロック信号（ＣＰＶ）を図示している。
【００７８】
第１フレームの間の前記ゲートクロック信号（ＣＰＶ［１］）はゲート遅延値を有しない。第２フレームの間の前記ゲートクロック信号（ＣＰＶ［２］）はゲート遅延値を有しない。第３フレームの間の前記ゲートクロック信号（ＣＰＶ［３］）はゲート遅延値を有しない。
【００７９】
図７Ｂは、第１から第３フレームの間の前記第２ゲートライングループ（ＧＧ２）に対応するゲートクロック信号（ＣＰＶ）を図示している。
【００８０】
第１フレームの間、前記ゲートクロック信号（ＣＰＶ［１］）はＸ１のゲート遅延値を有する。第２フレームの間、前記ゲートクロック信号（ＣＰＶ［２］）は前記第１フレームのゲート遅延値と相異する値を有する。例えば、前記第２フレームの間、前記ゲートクロック信号（ＣＰＶ［２］）はＸ１＋ａのゲート遅延値を有する。
【００８１】
第３フレームの間、前記ゲートクロック信号（ＣＰＶ［３］）は前記第１及び第２フレームのゲート遅延値と相異する値を有することができる。例えば、前記第３フレームの間、前記ゲートクロック信号（ＣＰＶ［３］）はＸ１−ａのゲート遅延値を有する。
【００８２】
前記信号制御部２００は、前記第１ゲートライングループ（ＧＧ１）に対応する前記ゲートクロック信号（ＣＰＶ［１］、ＣＰＶ［２］、ＣＰＶ［３］）にはゲート遅延値を反映しない。前記ゲート信号は、前記ゲートクロック信号（ＣＰＶ［１］、ＣＰＶ［２］、ＣＰＶ［３］）に基づいて生成される。
【００８３】
前記信号制御部２００は、前記第２ゲートライングループ（ＧＧ２）に対応して、前記フレーム毎に互いに異なるゲート遅延値（Ｘ１、Ｘ１＋ａ、Ｘ１−ａ）を反映して前記フレーム毎に互いに異なるタイミングを有する前記ゲートクロック信号（ＣＰＶ［１］、ＣＰＶ［２］、ＣＰＶ［３］）を生成する。前記ゲート信号は、前記ゲートクロック信号（ＣＰＶ［１］、ＣＰＶ［２］、ＣＰＶ［３］）に基づいて生成される。
【００８４】
本実施形態において、前記ゲートクロック信号のゲート遅延値は３フレームを周期で変わることを図示したが、これに限定されるものではない。例えば、前記ゲートクロック信号のゲート遅延値は、２フレームを周期で変動できる。即ち、同一なゲートラインに対して前記ゲートクロック信号は２つの連続したフレームで互いに異なるゲート遅延値を有することができる。これとは異なり、前記ゲートクロック信号のゲート遅延値は４フレーム以上の周期で変動できる。即ち、同一なゲートラインに対して前記ゲートクロック信号は４個の連続したフレームで互いに異なるゲート遅延値を有することができる。
【００８５】
図示してはいないが、第１から第３フレームの間、前記第３ゲートライングループ（ＧＧ３）に対応するゲートクロック信号は、順次にＸ２、Ｘ２＋ａ、Ｘ２−ａのゲート遅延値を有することができる。これとは異なり、前記第３ゲートライングループ（ＧＧ３）に対応するゲート遅延値のフレーム別変動パターンは、前記第２ゲートライングループ（ＧＧ２）に対応するゲート遅延値のフレーム別変動パターンと相異することがある。
【００８６】
本実施形態では、前記ゲートライングループの境界は前記フレームによって変動されず、固定される。
【００８７】
本実施形態によれば、１つのゲートラインに印加される１つのゲート信号内で、フレーム別に前記ゲート遅延値が変動されるので、ゲートライングループの境界で充電率の差によって横線不良が視認されることを防止することができる。したがって、表示パネルの表示品質を向上させることができる。
【００８８】
図８Ａは、第１フレームの間の本発明の一実施形態に係る表示装置のゲートライン別ゲート遅延値を示すグラフである。図８Ｂは、第２フレームの間の図８Ａのゲートライン別ゲート遅延値を示すグラフである。図８Ｃは、第３フレームの間の図８Ｂのゲートライン別ゲート遅延値を示すグラフである。
【００８９】
図８Ａから図８Ｃの表示パネルの駆動方法及び表示装置は、ゲート遅延値を除外すれば、図１から図７Ｂの表示パネルの駆動方法及び表示装置と実質的に同一であるので、同一または類似の構成要素に対しては同一の参照番号を使用し、重複する説明は省略する。
【００９０】
図８Ａから図８Ｃを参照すると、前記ゲート遅延値はフレームによって相異する値を有する。したがって、前記ゲート信号は第１フレームのゲート遅延値と第２フレームのゲート遅延値が相異する可変ゲート信号を含むようになる。本実施形態において、前記可変ゲート信号は前記ゲートライングループの境界部のみに適用できる。
【００９１】
例えば、図８Ａを参照すると、第１フレームの間、第１ゲートライングループ（ＧＧ１）のゲートラインにはゲート遅延値を適用しない。第２ゲートライングループ（ＧＧ２）のゲートラインにはＸ１のゲート遅延値を適用する。第３ゲートライングループ（ＧＧ３）のゲートラインにはＸ２のゲート遅延値を適用する。第４ゲートライングループ（ＧＧ４）のゲートラインにはＸ３のゲート遅延値を適用する。第５ゲートライングループ（ＧＧ５）のゲートラインにはＸ４のゲート遅延値を適用する。第６ゲートライングループ（ＧＧ６）のゲートラインにはＸ５のゲート遅延値を適用する。本発明の一実施形態において、前記第１フレームの間Ｘ１より小さいゲート遅延値であるＸ０を第１ゲートライングループ（ＧＧ１）のゲートラインに適用してもよい。
【００９２】
図８Ｂを参照すると、第２フレームの間、第１ゲートライングループ（ＧＧ１）のゲートラインにはゲート遅延値を適用しない。第２ゲートライングループ（ＧＧ２）の最初のゲートラインにはＸ１＋ａのゲート遅延値を適用し、前記第２ゲートライングループ（ＧＧ２）の最初のゲートラインを除外した残りのゲートラインにはＸ１のゲート遅延値を適用する。第３ゲートライングループ（ＧＧ３）の最初のゲートラインにはＸ２＋ａのゲート遅延値を適用し、前記第３ゲートライングループ（ＧＧ３）の最初のゲートラインを除外した残りのゲートラインにはＸ２のゲート遅延値を適用する。第４ゲートライングループ（ＧＧ４）の最初のゲートラインにはＸ３＋ａのゲート遅延値を適用し、前記第４ゲートライングループ（ＧＧ４）の最初のゲートラインを除外した残りのゲートラインにはＸ３のゲート遅延値を適用する。第５ゲートライングループ（ＧＧ５）の最初のゲートラインにはＸ４＋ａのゲート遅延値を適用し、前記第５ゲートライングループ（ＧＧ５）の最初のゲートラインを除外した残りのゲートラインにはＸ４のゲート遅延値を適用する。第６ゲートライングループ（ＧＧ６）の最初のゲートラインにはＸ５＋ａのゲート遅延値を適用し、前記第６ゲートライングループ（ＧＧ６）の最初のゲートラインを除外した残りのゲートラインにはＸ５のゲート遅延値を適用する。本発明の一実施形態において、前記第１フレームの間Ｘ１＋ａより小さいゲート遅延値であるＸ０＋ａを第１ゲートライングループ（ＧＧ１）のゲートラインに適用してもよい。
【００９３】
図８Ｃを参照すると、第３フレームの間、第１ゲートライングループ（ＧＧ１）のゲートラインにはゲート遅延値を適用しない。第２ゲートライングループ（ＧＧ２）の最初のゲートラインにはＸ１−ａのゲート遅延値を適用し、前記第２ゲートライングループ（ＧＧ２）の最初のゲートラインを除外した残りのゲートラインにはＸ１のゲート遅延値を適用する。第３ゲートライングループ（ＧＧ３）の最初のゲートラインにはＸ２−ａのゲート遅延値を適用し、前記第３ゲートライングループ（ＧＧ３）の最初のゲートラインを除外した残りのゲートラインにはＸ２のゲート遅延値を適用する。第４ゲートライングループ（ＧＧ４）の最初のゲートラインにはＸ３−ａのゲート遅延値を適用し、前記第４ゲートライングループ（ＧＧ４）の最初のゲートラインを除外した残りのゲートラインにはＸ３のゲート遅延値を適用する。第５ゲートライングループ（ＧＧ５）の最初のゲートラインにはＸ４−ａのゲート遅延値を適用し、前記第５ゲートライングループ（ＧＧ５）の最初のゲートラインを除外した残りのゲートラインにはＸ４のゲート遅延値を適用する。第６ゲートライングループ（ＧＧ６）の最初のゲートラインにはＸ５−ａのゲート遅延値を適用し、前記第６ゲートライングループ（ＧＧ６）の最初のゲートラインを除外した残りのゲートラインにはＸ５のゲート遅延値を適用する。本発明の一実施形態において、前記第１フレームの間Ｘ１−ａより小さいゲート遅延値であるＸ０−ａを第１ゲートライングループ（ＧＧ１）のゲートラインに適用してもよい。
【００９４】
したがって、第１から第３フレームの間の前記第２ゲートライングループ（ＧＧ２）の最初のゲートラインに対応するゲートクロック信号（ＣＰＶ）は、図７Ｂの波形を有することができる。
【００９５】
本実施形態によれば、１つのゲートラインに印加される１つのゲート信号内で、フレーム別に前記ゲート遅延値が変動されるので、ゲートライングループの境界で充電率の差によって横線不良が視認されることを防止することができる。したがって、表示パネルの表示品質を向上させることができる。
【００９６】
図９Ａは、第１フレームの間の本発明の一実施形態に係る表示装置のゲートライン別ゲート遅延値を示すグラフである。図９Ｂは、第２フレームの間の図９Ａのゲートライン別ゲート遅延値を示すグラフである。図９Ｃは、第３フレームの間の図９Ｂのゲートライン別ゲート遅延値を示すグラフである。図１０は、第１から第３フレームの間の図９Ａの表示装置の信号制御部で生成されるゲートクロック信号を示す波形図である。図１１は、図９Ａの表示装置の第Ｙゲートラインに印加されるゲート信号を示す波形図である。
【００９７】
図９Ａから図９Ｃの表示パネルの駆動方法及び表示装置は、ゲートライングループの境界を除外すれば、図１から図７Ｂの表示パネルの駆動方法及び表示装置と実質的に同一であるので、同一または類似の構成要素に対しては同一の参照番号を使用し、重複する説明は省略する。
【００９８】
図９Ａから図９Ｃを参照すると、ゲートライングループに対する前記ゲート遅延値はフレームによって同一な値を有する。但し、前記ゲートライングループの境界はフレーム毎に相異する位置を有することができる。したがって、前記ゲート信号は第１フレームのゲート遅延値と第２フレームのゲート遅延値が相異する可変ゲート信号を含むようになる。本実施形態において、前記可変ゲート信号は前記ゲートライングループの境界部のみに適用できる。
【００９９】
第１から第３フレームの間、第１ゲートライングループ（ＧＧ１）のゲートラインにはゲート遅延値を適用しない。第２ゲートライングループ（ＧＧ２）のゲートラインにはＸ１のゲート遅延値を適用する。第３ゲートライングループ（ＧＧ３）のゲートラインにはＸ２のゲート遅延値を適用する。第４ゲートライングループ（ＧＧ４）のゲートラインにはＸ３のゲート遅延値を適用する。第５ゲートライングループ（ＧＧ５）のゲートラインにはＸ４のゲート遅延値を適用する。第６ゲートライングループ（ＧＧ６）のゲートラインにはＸ５のゲート遅延値を適用する。
【０１００】
前記第１フレームで、前記第１ゲートライングループ（ＧＧ１）と前記第２ゲートライングループ（ＧＧ２）との境界は第Ｙゲートライン（Ｙは自然数）に形成され、前記第２ゲートライングループ（ＧＧ２）と前記第２ゲートライングループ（ＧＧ３）との境界は第２Ｙゲートラインに形成され、前記第３ゲートライングループ（ＧＧ３）と前記第４ゲートライングループ（ＧＧ４）との境界は第３Ｙゲートラインに形成され、前記第４ゲートライングループ（ＧＧ４）と前記第５ゲートライングループ（ＧＧ５）との境界は第４Ｙゲートラインに形成され、前記第５ゲートライングループ（ＧＧ５）と前記第６ゲートライングループ（ＧＧ６）との境界は第５Ｙゲートラインに形成される。即ち、前記第１ゲートライングループ（ＧＧ１）の最後のゲートラインは第Ｙゲートラインでありうる。前記第２ゲートライングループ（ＧＧ２）の最後のゲートラインは第２Ｙゲートラインでありうる。前記第３ゲートライングループ（ＧＧ３）の最後のゲートラインは第３Ｙゲートラインでありうる。前記第４ゲートライングループ（ＧＧ４）の最後のゲートラインは第４Ｙゲートラインでありうる。前記第５ゲートライングループ（ＧＧ５）の最後のゲートラインは第５Ｙゲートラインでありうる。
【０１０１】
前記第２フレームで、前記第１ゲートライングループ（ＧＧ１）と前記第２ゲートライングループ（ＧＧ２）との境界は第Ｙ＋ｂゲートラインに形成され、前記第２ゲートライングループ（ＧＧ２）と前記第２ゲートライングループ（ＧＧ３）との境界は第２Ｙ＋ｂゲートラインに形成され、前記第３ゲートライングループ（ＧＧ３）と前記第４ゲートライングループ（ＧＧ４）との境界は第３Ｙ＋ｂゲートラインに形成され、前記第４ゲートライングループ（ＧＧ４）と前記第５ゲートライングループ（ＧＧ５）との境界は第４Ｙ＋ｂゲートラインに形成され、前記第５ゲートライングループ（ＧＧ５）と前記第６ゲートライングループ（ＧＧ６）との境界は第５Ｙ＋ｂゲートラインに形成される。同一な方式で、前記第１ゲートライングループ（ＧＧ１）の最後のゲートラインは第Ｙ＋ｂゲートラインでありうる。前記第２ゲートライングループ（ＧＧ２）の最後のゲートラインは第２Ｙ＋ｂゲートラインでありうる。前記第３ゲートライングループ（ＧＧ３）の最後のゲートラインは第３Ｙ＋ｂゲートラインでありうる。前記第４ゲートライングループ（ＧＧ４）の最後のゲートラインは第４Ｙ＋ｂゲートラインでありうる。前記第５ゲートライングループ（ＧＧ５）の最後のゲートラインは第５Ｙ＋ｂゲートラインでありうる。
【０１０２】
前記第３フレームで、前記第１ゲートライングループ（ＧＧ１）と前記第２ゲートライングループ（ＧＧ２）との境界は第Ｙ−ｂゲートラインに形成され、前記第２ゲートライングループ（ＧＧ２）と前記第２ゲートライングループ（ＧＧ３）との境界は第２Ｙ−ｂゲートラインに形成され、前記第３ゲートライングループ（ＧＧ３）と前記第４ゲートライングループ（ＧＧ４）との境界は第３Ｙ−ｂゲートラインに形成され、前記第４ゲートライングループ（ＧＧ４）と前記第５ゲートライングループ（ＧＧ５）との境界は第４Ｙ−ｂゲートラインに形成され、前記第５ゲートライングループ（ＧＧ５）と前記第６ゲートライングループ（ＧＧ６）との境界は第５Ｙ−ｂゲートラインに形成される。例えば、前記第１ゲートライングループ（ＧＧ１）の最後のゲートラインは第Ｙ−ｂゲートラインで、前記第２ゲートライングループ（ＧＧ２）の最後のゲートラインは第２Ｙ−ｂゲートラインで、前記第３ゲートライングループ（ＧＧ３）の最後のゲートラインは第３Ｙ−ｂゲートラインで、前記第４ゲートライングループ（ＧＧ４）の最後のゲートラインは第４Ｙ−ｂゲートラインで、前記第５ゲートライングループ（ＧＧ５）の最後のゲートラインは第５Ｙ−ｂゲートラインでありうる。
【０１０３】
前記第１から第３フレームの間、前記第１ゲートライングループと前記２ゲートライングループとの境界は第Ｙゲートライン、第Ｙ＋ｂゲートライン及び第Ｙ−ｂゲートラインの間で周期的に変動することができる。
【０１０４】
ｂは自然数でありうる。例えば、前記ｂは１でありうる。
【０１０５】
図１０を参照すると、前記ｂが１の時、前記第Ｙ−１ゲートラインに対応するゲートクロック信号（ＣＰＶ）は第１から第３フレームの間、０のゲート遅延値を有する。
【０１０６】
前記ｂが１の時、前記第Ｙゲートラインに対応するゲートクロック信号（ＣＰＶ）は第１及び第２フレームの間０のゲート遅延値を有し、第３フレームの間Ｘ１のゲート遅延値を有する。フレームによって相異するゲート遅延値を有する前記ゲートクロック信号（ＣＰＶ）を用いて前記第Ｙゲートラインに印加されるゲート信号が生成される。
【０１０７】
前記ｂが１の時、前記第Ｙ＋１ゲートラインに対応するゲートクロック信号（ＣＰＶ）は、第１及び第３フレームの間、Ｘ１のゲート遅延値を有し、第２フレームの間、０のゲート遅延値を有する。フレームによって相異するゲート遅延値を有する前記ゲートクロック信号（ＣＰＶ）を用いて前記第Ｙ＋１ゲートラインに印加されるゲート信号が生成される。
【０１０８】
図１１を参照すると、前記第Ｙ＋１ゲートラインに印加されるゲート信号（ＧＹ＋１）はフレームによってゲート遅延値が変動される。例えば、第１フレームに前記第Ｙ＋１ゲートラインに印加されるゲート信号（ＧＹ＋１）はＸ１のゲート遅延値を有する。例えば、第２フレームに前記第Ｙ＋１ゲートラインに印加されるゲート信号（ＧＹ＋１）は０のゲート遅延値を有する。例えば、第３フレームに前記第Ｙ＋１ゲートラインに印加されるゲート信号（ＧＹ＋１）はＸ１のゲート遅延値を有する。
【０１０９】
したがって、前記第Ｙ＋１ゲートラインに印加されるゲート信号（ＧＹ＋１）の波形をオシロスコープなどの測定装備により測定すると、図１１のようにフレーム毎にデータ電圧Ｄ１とゲート信号の重複波形が互いに相異するように表れることができる。
【０１１０】
本実施形態によれば、１つのゲートラインに印加される１つのゲート信号内で、フレーム別に前記ゲート遅延値が変動されるので、ゲートライングループの境界で充電率の差によって横線不良が視認されることを防止することができる。したがって、表示パネルの表示品質を向上させることができる。
【産業上の利用可能性】
【０１１１】
以上、説明したように、本発明によれば、フレーム毎に可変するゲート遅延値を用いてデータ電圧の伝播遅延を補償することによって、画素の充電率を向上させ、横線不良の視認を防止することができる。したがって、表示パネルの表示品質を向上させることができる。
【０１１２】
以上、本発明の好ましい実施形態を参照して説明したが、該当技術分野の熟練した当業者または該当技術分野に通常の知識を有する者であれば、後述する特許請求範囲に記載された本発明の思想及び技術領域から逸脱しない範囲内で本発明を多様に修正及び変更させることができることを理解することができる。
【符号の説明】
【０１１３】
１００    表示パネル
２００    信号制御部
２２０    データ補正部
２４０    信号生成部
３００    ゲート駆動部
４００    ガンマ電圧生成部
５００    データ駆動部
【図１】
0006721973.tif 000002
【図２】
0006721973.tif 000003
【図３Ａ】
0006721973.tif 000004
【図３Ｂ】
0006721973.tif 000005
【図４】
0006721973.tif 000006
【図５】
0006721973.tif 000007
【図６Ａ】
0006721973.tif 000008
【図６Ｂ】
0006721973.tif 000009
【図６Ｃ】
0006721973.tif 000010
【図７Ａ】
0006721973.tif 000011
【図７Ｂ】
0006721973.tif 000012
【図８Ａ】
0006721973.tif 000013
【図８Ｂ】
0006721973.tif 000014
【図８Ｃ】
0006721973.tif 000015
【図９Ａ】
0006721973.tif 000016
【図９Ｂ】
0006721973.tif 000017
【図９Ｃ】
0006721973.tif 000018
【図１０】
0006721973.tif 000019
【図１１】
0006721973.tif 000020